(57)【特許請求の範囲】
【請求項１】
浄水器の水受け領域に容器が置かれているかどうかを判断するステップと、
前記水受け領域に容器が置かれているとき、前記容器に内容物が納められているかどうかを判断するステップと、
前記容器に内容物が納められていないとき、前記容器の識別情報を取得し、前記識別情報に基づいて前記容器の種別情報を特定し、前記容器の種別情報に基づいて、前記容器に整合する出水タイプの情報を参照出水タイプ情報として特定するステップと、
前記容器に内容物が納められているとき、前記容器の内容物情報を取得し、前記内容物情報に基づいて前記内容物の種別情報を特定し、前記内容物の種別情報に基づいて、前記内容物に整合する出水タイプの情報を参照出水タイプ情報として特定するステップと、
前記参照出水タイプ情報に基づいて対応する出水水路の情報を特定するステップと、
前記出水水路の情報に基づいて、前記浄水器が前記出水水路に沿って水を出すように制御するステップと、を含むことを特徴とする浄水器出水制御方法。
【請求項２】
前記容器に内容物が納められているかどうかを判断するステップは、
前記容器の俯瞰画像を採集するステップと、
前記容器の俯瞰画像に内容物の画像が含まれているかどうかを判断するステップと、
内容物の画像が含まれている場合、前記容器に内容物が納められていると特定するステップと、を含むことを特徴とする請求項１に記載の浄水器出水制御方法。
【請求項３】
前記容器の識別情報は、前記容器の画像を含み、
前記容器の識別情報に基づいて前記容器の種別情報を特定するステップは、
予め記憶された画像から、前記容器の画像に整合する画像を容器参照画像として検索するステップと、
前記容器参照画像に関連する種別情報を前記容器の種別情報として特定するステップと、を含むことを特徴とする請求項１に記載の浄水器出水制御方法。
【請求項４】
前記容器の識別情報は、前記容器の電子タグに付加された情報を含み、
前記容器の識別情報に基づいて前記容器の種別情報を特定するステップは、
前記容器の電子タグに付加された情報から前記容器の種別情報を検索するステップを含むことを特徴とする請求項１に記載の浄水器出水制御方法。
【請求項５】
前記容器の内容物情報は、前記内容物の画像を含み、
前記内容物情報に基づいて前記内容物の種別情報を特定するステップは、
予め記憶された画像から、前記内容物の画像に整合する画像を内容物参照画像として検索するステップと、
前記内容物参照画像に関連する種別情報を前記内容物の種別情報として特定するステップと、を含むことを特徴とする請求項１に記載の浄水器出水制御方法。
【請求項６】
前記容器の内容物情報は、前記内容物の電子タグに付加された情報を含み、
前記内容物情報に基づいて前記内容物の種別情報を特定するステップは、
前記内容物の電子タグに付加された情報から前記内容物の種別情報を検索するステップを含むことを特徴とする請求項１に記載の浄水器出水制御方法。
【請求項７】
前記容器の種別情報に基づいて、前記容器に整合する出水タイプの情報を特定するステップは、
種別情報と出水タイプ情報との所定の整合関係を取得するステップと、
前記整合関係に基づいて、前記容器の種別情報に整合する出水タイプの情報を前記容器に整合する出水タイプの情報として検索するステップと、を含むことを特徴とする請求項１に記載の浄水器出水制御方法。
【請求項８】
前記内容物の種別情報に基づいて、前記内容物に整合する出水タイプの情報を特定するステップは、
種別情報と出水タイプ情報との所定の整合関係を取得するステップと、
前記整合関係に基づいて、前記内容物の種別情報に整合する出水タイプの情報を前記内容物に整合する出水タイプの情報として検索するステップと、を含むことを特徴とする請求項１に記載の浄水器出水制御方法。
【請求項９】
前記参照出水タイプ情報に基づいて対応する出水水路の情報を特定するステップは、
出水タイプ情報と出水水路の情報との所定の対応関係を取得するステップと、
前記対応関係に基づいて、前記参照出水タイプ情報に対応する出水水路の情報を検索するステップと、を含むことを特徴とする請求項１に記載の浄水器出水制御方法。
【請求項１０】
前記出水水路は、初級水路、第一濾過レベル水路および第二濾過レベル水路のうちの１つまたは複数を含み、
前記初級水路から出た水は、前記第一濾過レベル水路から出た水よりも、不純物を多く含み、前記第一濾過レベル水路から出た水は、前記第二濾過レベル水路から出た水よりも、不純物を多く含むことを特徴とする請求項１に記載の浄水器出水制御方法。
【請求項１１】
前記電子タグは、
近距離通信ＮＦＣチップを含む電子タグと、低消費電力ブルートゥースチップを含む電子タグと、低消費電力Ｗｉ-Ｆｉチップを含む電子タグと、低消費電力ジグビーＺｉｇＢｅｅチップを含む電子タグと、無線周波数ＲＦＩＤチップを含む電子タグとのうちの１つまたは複数を含むことを特徴とする請求項４または６に記載の浄水器出水制御方法。
【請求項１２】
前記出水タイプは、浄化されていない水を出すことと、第１の浄化水を出すことと、第２の浄化水を出すことと、のうちの１つまたは複数を含み、
前記第１の浄化水は、前記第２の浄化水よりも、不純物を多く含むことを特徴とする請求項１乃至１０のうちのいずれか一項に記載の浄水器出水制御方法。
【請求項１３】
浄水器の水受け領域に容器が置かれているかどうかを判断するように構成される第１の判断手段と、
前記水受け領域に容器が置かれているとき、前記容器に内容物が納められているかどうかを判断するように構成される第２の判断手段と、
前記容器に内容物が納められていないとき、前記容器の識別情報を取得するように構成される第１の取得手段と、
前記識別情報に基づいて前記容器の種別情報を特定するように構成される第１の識別手段と、
前記容器の種別情報に基づいて、前記容器に整合する出水タイプの情報を参照出水タイプ情報として特定するように構成される第１の特定手段と、
前記容器に内容物が納められているとき、前記容器の内容物情報を取得するように構成される第２の取得手段と、
前記内容物情報に基づいて前記内容物の種別情報を特定するように構成される第２の識別手段と、
前記内容物の種別情報に基づいて、前記内容物に整合する出水タイプの情報を参照出水タイプ情報として特定するように構成される第２の特定手段と、
前記参照出水タイプ情報に基づいて対応する出水水路の情報を特定するように構成される第３の特定手段と、
前記出水水路の情報に基づいて、前記浄水器が前記出水水路に沿って水を出すように制御するように構成される制御手段と、を備えることを特徴とする浄水器出水制御装置。
【請求項１４】
前記第２の判断手段は、
前記容器の俯瞰画像を採集するように構成される採集サブ手段と、
前記容器の俯瞰画像に内容物の画像が含まれているかどうかを判断するように構成される判断サブ手段と、
前記容器の俯瞰画像に内容物の画像が含まれているとき、前記容器に内容物が納められていると特定するように構成される特定サブ手段と、を備えることを特徴とする請求項１３に記載の浄水器出水制御装置。
【請求項１５】
前記容器の識別情報は、前記容器の画像を含み、
前記第１の識別手段は、
予め記憶された画像から、前記容器の画像に整合する画像を容器参照画像として検索するように構成される容器画像検索サブ手段と、
前記容器参照画像に関連する種別情報を前記容器の種別情報として特定するように構成される容器種別特定サブ手段と、を備えることを特徴とする請求項１３に記載の浄水器出水制御装置。
【請求項１６】
前記容器の識別情報は、前記容器の電子タグに付加された情報を含み、
前記第１の識別手段は、
前記容器の電子タグに付加された情報から前記容器の種別情報を検索するように構成される容器種別情報検索サブ手段を備えることを特徴とする請求項１３に記載の浄水器出水制御装置。
【請求項１７】
前記容器の内容物情報は、前記内容物の画像を含み、
前記第２の識別手段は、
予め記憶された画像から、前記内容物の画像に整合する画像を内容物参照画像として検索するように構成される内容物画像検索サブ手段と、
前記内容物参照画像に関連する種別情報を前記内容物の種別情報として特定するように構成される内容物種別特定サブ手段と、を備えることを特徴とする請求項１３に記載の浄水器出水制御装置。
【請求項１８】
前記容器の内容物情報は、前記内容物の電子タグに付加された情報を含み、
前記第２の識別手段は、
前記内容物の電子タグに付加された情報から前記内容物の種別情報を検索するように構成される内容物種別情報検索サブ手段を備えることを特徴とする請求項１３に記載の浄水器出水制御装置。
【請求項１９】
前記第１の特定手段は、
種別情報と出水タイプ情報との所定の整合関係を取得するように構成される第１の整合関係取得サブ手段と、
前記整合関係に基づいて、前記容器の種別情報に整合する出水タイプの情報を前記容器に整合する出水タイプの情報として検索するように構成される第１の出水タイプ検索サブ手段と、を備えることを特徴とする請求項１３に記載の浄水器出水制御装置。
【請求項２０】
前記第２の特定手段は、
種別情報と出水タイプ情報との所定の整合関係を取得するように構成される第２の整合関係取得サブ手段と、
前記整合関係に基づいて、前記内容物の種別情報に整合する出水タイプの情報を前記内容物に整合する出水タイプの情報として検索するように構成される第２の出水タイプ検索サブ手段と、を備えることを特徴とする請求項１３に記載の浄水器出水制御装置。
【請求項２１】
前記第３の特定手段は、
出水タイプ情報と出水水路の情報との所定の対応関係を取得するように構成される対応関係取得サブ手段と、
前記対応関係に基づいて、前記参照出水タイプ情報に対応する出水水路の情報を検索するように構成される出水水路情報検索サブ手段と、を備えることを特徴とする請求項１３に記載の浄水器出水制御装置。
【請求項２２】
前記出水水路は、初級水路、第一濾過レベル水路および第二濾過レベル水路のうちの１つまたは複数を含み、
前記初級水路から出た水は、前記第一濾過レベル水路から出た水よりも、不純物を多く含み、前記第一濾過レベル水路から出た水は、前記第二濾過レベル水路から出た水よりも、不純物を多く含むことを特徴とする請求項１３に記載の浄水器出水制御装置。
【請求項２３】
前記電子タグは、
近距離通信ＮＦＣチップを含む電子タグと、低消費電力ブルートゥースチップを含む電子タグと、低消費電力Ｗｉ-Ｆｉチップを含む電子タグと、低消費電力ジグビーＺｉｇＢｅｅチップを含む電子タグと、無線周波数ＲＦＩＤチップを含む電子タグとのうちの１つまたは複数を含むことを特徴とする請求項１６または１８に記載の浄水器出水制御装置。
【請求項２４】
前記出水タイプは、浄化されていない水を出すことと、第１の浄化水を出すことと、第２の浄化水を出すこととのうちの１つまたは複数を含み、
前記第１の浄化水は、前記第２の浄化水よりも、不純物を多く含むことを特徴とする請求項１３乃至２２のうちのいずれか一項に記載の浄水器出水制御装置。
【請求項２５】
プロセッサと、
プロセッサの実行可能な指令を記憶するためのメモリと、を備え、
前記プロセッサは、
浄水器の水受け領域に容器が置かれているかどうかを判断し、
前記水受け領域に容器が置かれているとき、前記容器に内容物が納められているかどうかを判断し、
前記容器に内容物が納められていないとき、前記容器の識別情報を取得し、前記識別情報に基づいて前記容器の種別情報を特定し、前記容器の種別情報に基づいて、前記容器に整合する出水タイプの情報を参照出水タイプ情報として特定し、
前記容器に内容物が納められているとき、前記容器の内容物情報を取得し、前記内容物情報に基づいて前記内容物の種別情報を特定し、前記内容物の種別情報に基づいて、前記内容物に整合する出水タイプの情報を参照出水タイプ情報として特定し、
前記参照出水タイプ情報に基づいて対応する出水水路の情報を特定し、
前記出水水路の情報に基づいて、前記浄水器が前記出水水路に沿って水を出すように制御するように構成されることを特徴とする浄水器。
【発明の詳細な説明】
【技術分野】
【０００１】
本発明は、スマートホーム技術分野に関し、特に浄水器出水制御方法、装置および浄水器に関する。
【背景技術】
【０００２】
科学技術の持続な発展に伴い、進んだ技術は、人々の日常生活に応用されつつあり、人々の生活の品質を向上させる。例えば、人々の生活用水がもはや単一の水道水ではなく、現在、水道水を浄水器により処理して異なる水質を取得してもよい。従来技術では、ユーザが浄水器から異なる水質の水を取得する必要がある場合、ユーザが手動で出水のタイプを選択せざるを得ず、浄水器が水受け容器または容器に盛られた内容物に応じて、対応する水質の水を自動的に出すことが不可能である。これにより、時間の無駄遣いになり、浄水器の使用効率が低下する。
【発明の概要】
【発明が解決しようとする課題】
【０００３】
本発明は、浄水器の使用効率が低いという従来技術の問題を解決するために、浄水器出水制御方法、装置および浄水器を提供する。
【課題を解決するための手段】
【０００４】
本発明の実施例の第１の態様によれば、浄水器出水制御方法を提供する。当該方法は、
前記浄水器の水受け領域に容器が置かれているかどうかを判断するステップと、
前記水受け領域に容器が置かれているとき、前記容器に内容物が納められているかどうかを判断するステップと、
前記容器に内容物が納められていないとき、前記容器の識別情報を取得し、前記識別情報に基づいて前記容器の種別情報を特定し、前記容器の種別情報に基づいて、前記容器に整合する出水タイプの情報を参照出水タイプ情報として特定するステップと、
前記容器に内容物が納められているとき、前記容器の内容物情報を取得し、前記内容物情報に基づいて前記内容物の種別情報を特定し、前記内容物の種別情報に基づいて、前記内容物に整合する出水タイプの情報を参照出水タイプ情報として特定するステップと、
前記参照出水タイプ情報に基づいて対応する出水水路の情報を特定するステップと、
前記出水水路の情報に基づいて、前記浄水器が前記出水水路に沿って水を出すように制御するステップと、を含む。
【０００５】
好ましくは、前記容器に内容物が納められているかどうかを判断するステップは、
前記容器の俯瞰画像を採集するステップと、
前記容器の俯瞰画像に内容物の画像が含まれているかどうかを判断するステップと、
内容物の画像が含まれている場合、前記容器に内容物が納められていると特定するステップと、を含む。
【０００６】
好ましくは、前記容器の識別情報は、前記容器の画像を含み、
前記容器の識別情報に基づいて前記容器の種別情報を特定するステップは、
予め記憶された画像から、前記容器の画像に整合する画像を容器参照画像として検索するステップと、
前記容器参照画像に関連する種別情報を前記容器の種別情報として特定するステップと、を含む。
【０００７】
好ましくは、前記容器の識別情報は、前記容器の電子タグに付加された情報を含み、
前記容器の識別情報に基づいて前記容器の種別情報を特定するステップは、
前記容器の電子タグに付加された情報から前記容器の種別情報を検索するステップを含む。
【０００８】
好ましくは、前記容器の内容物情報は、前記内容物の画像を含み、
前記容器の内容物情報に基づいて前記内容物の種別情報を特定するステップは、
予め記憶された画像から、前記内容物の画像に整合する画像を内容物参照画像として検索するステップと、
前記内容物参照画像に関連する種別情報を前記内容物の種別情報として特定するステップと、を含む。
【０００９】
好ましくは、前記容器の内容物情報は、前記内容物の電子タグに付加された情報を含み、
前記容器の内容物情報に基づいて前記内容物の種別情報を特定するステップは、
前記内容物の電子タグに付加された情報から前記内容物の種別情報を検索するステップを含む。
【００１０】
好ましくは、、前記容器の種別情報に基づいて、前記容器に整合する出水タイプの情報を特定するステップは、
種別情報と出水タイプ情報との所定の整合関係を取得するステップと、
前記整合関係に基づいて、前記容器の種別情報に整合する出水タイプの情報を前記容器に整合する出水タイプの情報として検索するステップと、を含む。
【００１１】
好ましくは、前記内容物の種別情報に基づいて、前記内容物に整合する出水タイプの情報を特定するステップは、
種別情報と出水タイプ情報との所定の整合関係を取得するステップと、
前記整合関係に基づいて、前記内容物の種別情報に整合する出水タイプの情報を前記内容物に整合する出水タイプの情報として検索するステップと、を含む。
【００１２】
好ましくは、前記参照出水タイプ情報に基づいて対応する出水水路の情報を特定するステップは、
出水タイプ情報と出水水路の情報との所定の対応関係を取得するステップと、
前記対応関係に基づいて、前記参照出水タイプ情報に対応する出水水路の情報を検索するステップと、を含む。
【００１３】
好ましくは、前記出水水路は、初級水路、第一濾過レベル水路および第二濾過レベル水路のうちの１つまたは複数を含み、
前記初級水路から出た水は、前記第一濾過レベル水路から出た水よりも、不純物を多く含み、前記第一濾過レベル水路から出た水は、前記第二濾過レベル水路から出た水よりも、不純物を多く含む。
【００１４】
好ましくは、前記電子タグは、近距離通信ＮＦＣチップを含む電子タグと、低消費電力ブルートゥースチップを含む電子タグと、低消費電力Ｗｉ-Ｆｉチップを含む電子タグと、低消費電力ジグビーＺｉｇＢｅｅチップを含む電子タグと、無線周波数ＲＦＩＤチップを含む電子タグとのうちの１つまたは複数を含む。
【００１５】
好ましくは、前記出水タイプは、浄化されていない水を出すことと、第１の浄化水を出すことと、第２の浄化水を出すことと、のうちの１つまたは複数を含み、前記第１の浄化水は、前記第２の浄化水よりも、不純物を多く含む。
【００１６】
本発明の実施例の第２の態様によれば、浄水器出水制御装置を提供する。前記装置は、
前記浄水器の水受け領域に容器が置かれているかどうかを判断するように構成される第１の判断手段と、
前記水受け領域に容器が置かれているとき、前記容器に内容物が納められているかどうかを判断するように構成される第２の判断手段と、
前記容器に内容物が納められていないとき、前記容器の識別情報を取得するように構成される第１の取得手段と、
前記識別情報に基づいて前記容器の種別情報を特定するように構成される第１の識別手段と、
前記容器の種別情報に基づいて、前記容器に整合する出水タイプの情報を参照出水タイプ情報として特定するように構成される第１の特定手段と、
前記容器に内容物が納められているとき、前記容器の内容物情報を取得するように構成される第２の取得手段と、
前記内容物情報に基づいて前記内容物の種別情報を特定するように構成される第２の識別手段と、
前記内容物の種別情報に基づいて、前記内容物に整合する出水タイプの情報を参照出水タイプ情報として特定するように構成される第２の特定手段と、
前記参照出水タイプ情報に基づいて対応する出水水路の情報を特定するように構成される第３の特定手段と、
前記出水水路の情報に基づいて、前記浄水器が前記出水水路に沿って水を出すように制御するように構成される制御手段と、を備える。
【００１７】
好ましくは、前記第２の判断手段は、
前記容器の俯瞰画像を採集するように構成される採集サブ手段と、
前記容器の俯瞰画像に内容物の画像が含まれているかどうかを判断するように構成される判断サブ手段と、
前記容器の俯瞰画像に内容物の画像が含まれているとき、前記容器に内容物が納められていると特定するように構成される特定サブ手段と、を備える。
【００１８】
好ましくは、前記容器の識別情報は、前記容器の画像を含み、
前記第１の識別手段は、
予め記憶された画像から、前記容器の画像に整合する画像を容器参照画像として検索するように構成される容器画像検索サブ手段と、
前記容器参照画像に関連する種別情報を前記容器の種別情報として特定するように構成される容器種別特定サブ手段と、を備える。
【００１９】
好ましくは、前記容器の識別情報は、前記容器の電子タグに付加された情報を含み、
前記第１の識別手段は、
前記容器の電子タグに付加された情報から前記容器の種別情報を検索するように構成される容器種別情報検索サブ手段を備える。
【００２０】
好ましくは、前記容器の内容物情報は、前記内容物の画像を含み、
前記第２の識別手段は、
予め記憶された画像から、前記内容物の画像に整合する画像を内容物参照画像として検索するように構成される内容物画像検索サブ手段と、
前記内容物参照画像に関連する種別情報を前記内容物の種別情報として特定するように構成される内容物種別特定サブ手段と、を備える。
【００２１】
好ましくは、前記容器の内容物情報は、前記内容物の電子タグに付加された情報を含み、
前記第２の識別手段は、
前記内容物の電子タグに付加された情報から前記内容物の種別情報を検索するように構成される内容物種別情報検索サブ手段を備える。
【００２２】
好ましくは、前記第１の特定手段は、
種別情報と出水タイプ情報との所定の整合関係を取得するように構成される第１の整合関係取得サブ手段と、
前記整合関係に基づいて、前記容器の種別情報に整合する出水タイプの情報を前記容器に整合する出水タイプの情報として検索するように構成される第１の出水タイプ検索サブ手段と、を備える。
【００２３】
好ましくは、第２の整合関係取得サブ手段は、種別情報と出水タイプ情報との所定の整合関係を取得するように構成され、
第２の出水タイプ検索サブ手段は、前記整合関係に基づいて前記内容物の種別情報に整合する出水タイプの情報を前記内容物に整合する出水タイプの情報として検索するように構成される。
【００２４】
好ましくは、前記第３の特定手段は、
出水タイプ情報と出水水路の情報との所定の対応関係を取得するように構成される対応関係取得サブ手段と、
前記対応関係に基づいて、前記参照出水タイプ情報に対応する出水水路の情報を検索するように構成される出水水路情報検索サブ手段と、を備える。
【００２５】
好ましくは、前記出水水路は、初級水路、第一濾過レベル水路および第二濾過レベル水路のうちの１つまたは複数を含み、
前記初級水路から出た水は、前記第一濾過レベル水路から出た水よりも、不純物を多く含み、前記第一濾過レベル水路から出た水は、前記第二濾過レベル水路から出た水よりも、不純物を多く含む。
【００２６】
好ましくは、前記電子タグは、近距離通信ＮＦＣチップを含む電子タグと、低消費電力ブルートゥースチップを含む電子タグと、低消費電力Ｗｉ-Ｆｉチップを含む電子タグと、低消費電力ジグビーＺｉｇＢｅｅチップを含む電子タグと、無線周波数ＲＦＩＤチップを含む電子タグとのうちの１つまたは複数を含む。
【００２７】
好ましくは、前記出水タイプは、浄化されていない水を出すことと、第１の浄化水を出すことと、第２の浄化水を出すこととのうちの１つまたは複数を含み、前記第１の浄化水は、前記第２の浄化水よりも、不純物を多く含む。
【００２８】
本発明の実施例の第３の態様によれば、浄水器を提供する。当該浄水器は、
プロセッサと、
プロセッサの実行可能な指令を記憶するためのメモリと、を備え、
前記プロセッサは、
前記浄水器の水受け領域に容器が置かれているかどうかを判断し、
前記水受け領域に容器が置かれているとき、前記容器に内容物が納められているかどうかを判断し、
前記容器に内容物が納められていないとき、前記容器の識別情報を取得し、前記識別情報に基づいて前記容器の種別情報を特定し、前記容器の種別情報に基づいて、前記容器に整合する出水タイプの情報を参照出水タイプ情報として特定し、
前記容器に内容物が納められているとき、前記容器の内容物情報を取得し、前記内容物情報に基づいて前記内容物の種別情報を特定し、前記内容物の種別情報に基づいて、前記内容物に整合する出水タイプの情報を参照出水タイプ情報として特定し、
前記参照出水タイプ情報に基づいて対応する出水水路の情報を特定し、
前記出水水路の情報に基づいて、前記浄水器が前記出水水路に沿って水を出すように制御するように構成される。
【発明の効果】
【００２９】
本発明の実施例に供される技術案は、以下の格別な作用効果を奏することができる。
【００３０】
本発明の上記実施例に供される浄水器出水制御方法では、浄水器の水受け領域に容器が置かれているとき、当該容器に内容物が納められているかどうかを判断し、容器に内容物が納められていないとき、容器の種別情報に基づいて参照出水タイプ情報を特定し、容器に内容物が納められているとき、容器に納められた内容物の種別情報に基づいて参照出水タイプ情報を特定し、参照出水タイプ情報に基づいて対応する出水水路の情報を特定することで、上記浄水器が当該出水水路に沿って水を出すように制御する。これにより、ユーザによる出水タイプの選択を必要としないため、浄水器の使用効率が向上する。
【００３１】
本発明の上記実施例に供される別の浄水器出水制御方法では、容器の識別情報あるいは容器の内容物情報に基づいて、当該容器あるいは容器の内容物の種別情報を特定し、当該種別情報に基づいて、参照出水タイプ情報を判断し、参照出水タイプ情報に基づいて対応する出水水路の情報を特定することで、上記浄水器が当該出水水路に沿って水を出すように制御する。これにより、ユーザによる出水タイプの選択を必要としないため、浄水器の使用効率がさらに向上する。
【００３２】
本発明の上記実施例に供される別の浄水器出水制御方法では、種別情報と出水タイプ情報との所定の整合関係により、上記容器あるいは内容物に整合する出水タイプ情報を参照出水タイプ情報として検索し、参照出水タイプ情報に基づいて対応する出水水路の情報を特定することで、上記浄水器が当該出水水路に沿って水を出すように制御する。これにより、ユーザによる出水タイプの選択を必要としないため、さらに浄水器の使用効率が向上する。
【００３３】
本発明の上記実施例に供される別の浄水器出水制御方法では、出水タイプ情報と出水水路の情報との所定の対応関係により、上記参照出水タイプ情報に対応する出水水路の情報を検索し、上記浄水器が当該出水水路に沿って水を出すように制御する。これにより、ユーザによる出水タイプの選択を必要としないため、さらに浄水器の使用効率が向上する。
【００３４】
以上の一般的な記述および後述する詳細な説明は、例示的や解釈的なものであり、本発明を制限するためのものでないことは、理解されるべきである。
【図面の簡単な説明】
【００３５】
ここでの図面は、明細書を構成する一部として見なされ、本発明に適した実施例を示し、かつ、明細書の文字記載とともに本発明の仕組みを解釈するために用いられる。
【図１Ａ】本発明の一実施例による浄水器出水制御方法を示すフローチャートである。
【図１Ｂ】本発明の一実施例による出水水路の方法を示す模式図である。
【図２】本発明の一実施例による別の浄水器出水制御方法を示すフローチャートである。
【図３】本発明の一実施例による別の浄水器出水制御方法を示すフローチャートである。
【図４】本発明の一実施例による別の浄水器出水制御方法を示すフローチャートである。
【図５】本発明の一実施例による浄水器出水制御装置を示すブロック図である。
【図６】本発明の一実施例による別の浄水器出水制御装置を示すブロック図である。
【図７】本発明の一実施例による別の浄水器出水制御装置を示すブロック図である。
【図８】本発明の一実施例による別の浄水器出水制御装置を示すブロック図である。
【図９】本発明の一実施例による別の浄水器出水制御装置を示すブロック図である。
【図１０】本発明の一実施例による別の浄水器出水制御装置を示すブロック図である。
【図１１】本発明の一実施例による別の浄水器出水制御装置を示すブロック図である。
【図１２】本発明の一実施例による別の浄水器出水制御装置を示すブロック図である。
【図１３】本発明の一実施例による別の浄水器出水制御装置を示すブロック図である。
【図１４】本発明の一実施例による本発明の実施例を応用可能なシステムアーキテクチャ模式図である。
【発明を実施するための形態】
【００３６】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００３７】
本発明に記載の用語は、特定の実施例を説明する目的で使用されるものに過ぎず、本発明を限定するものではない。本発明及び添付する特許請求の範囲に記載の単数形式の「１種類」、「前記」及び「当該」は、前後の文章においてそれぞれ他の意味を含有すると明確に記載される以外には、複数の形式も含む。なお、本発明に記載の「および／または」は、挙げられる事項の1つ又は複数の何れ又は全ての組み合わせを意味する。
【００３８】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、文脈の意味によって、「……とき」またはは「……と」又は「確定に応じる」に解釈されてもよい。
【００３９】
図１Ａに示すように、図１Ａは、一実施例による浄水器出水制御方法を示すフローチャートである。当該方法は、浄水器に適用可能であり、以下のステップを含む。
【００４０】
ステップ１０１では、浄水器の水受け領域に容器が置かれているかどうかを判断する。
【００４１】
一般的に、浄水器が１つまたは複数の蛇口を有してもよく、容器を浄水器の蛇口の下方の一定領域範囲内に置ければ、水を受け取ることができる。浄水器の水受け領域は、いずれの容器が入っても水を受け取れる領域であり、１つの空間の領域であってもよい。本発明は、浄水器の水受け領域の具体的な区分方式について限定しない。本実施例の容器は、任意の容器であってもよい。
【００４２】
本実施例のある実現形態では、浄水器の水受け領域の画像を分析することで、浄水器の水受け領域に容器が置かれているかどうかを判断する。詳細に言えば、まず、撮像機器（例えば、カメラ等）を用いて浄水器の水受け領域の画像をリアルタイムに採集してもよい。当該撮像機器は、浄水器の水受け領域を採集できる如何なる位置にも設けられてもよい。本発明は、撮像機器を設ける具体的な位置について限定しない。次に、当該画像に容器の像が含まれているかどうかを判断する。具体的に、浄水器の水受け領域に容器が置かれていない際における画像を背景画像として予め取得し記憶して、そしてリアルタイムに採集された画像を上記予め記憶された背景画像と照合し、採集された画像のうち背景画像と異なる部分を分析し、容器の像であるかどうかを特定することで、当該画像に容器の像が含まれているかどうかを判断する。採集された画像に容器の像が含まれている場合、上記水受け領域に容器が置かれていると特定する。
【００４３】
本実施例の別の実現形態では、容器の電子タグで生成されたセンシング信号を検出することで、浄水器の水受け領域に容器が置かれているかどうかを判断してもよい。詳細に言えば、まず、上記水受け領域に所定強度以上のセンシング信号が存在するかどうかを検出し、当該センシング信号は、容器の電子タグで生成される。技術の持続な発展と伴い、現在、電子タグを有する商品があり、電子タグは、対応する商品の各種の情報、例えば、生産日、商品名称、商品種別、メーカ等を記憶してもよい。電子タグを付ける容器が浄水器の水受け領域に置かれたとき、電子タグを読み取り可能な検出機器を介して容器の電子タグで生成されたセンシング信号を検出してもよい。当該信号は、所定強度以上の強度を有する。ただし、検出機器は、容器の電子タグで生成されたセンシング信号を検出できる如何なる位置にも設けられてもよい。本発明は、検出機器の具体位置について限定しない。検出機器は、上記水受け領域に所定強度以上のセンシング信号が存在すると検出したとき、当該水受け領域に容器が置かれていると特定する。ただし、電子タグは、近距離通信ＮＦＣチップを含む電子タグと、低消費電力ブルートゥースチップを含む電子タグと、低消費電力Ｗｉ-Ｆｉチップを含む電子タグと、低消費電力ジグビーＺｉｇＢｅｅチップを含む電子タグと、無線周波数ＲＦＩＤチップを含む電子タグ等のうちの１つまたは複数を含む。
【００４４】
本実施例のさらに別の実現形態では、赤外線を採用して上記浄水器の水受け領域に容器が置かれているかどうかを検出してもよい。例えば、上記水受け領域の周辺のある位置に赤外送信機および赤外受信機が取り付けられ、上記水受け領域に容器が置かれていないとき、赤外送信機から発された赤外線は、上記水受け領域を通過してから、赤外受信機に受信される。上記水受け領域に容器が置かれている場合、容器が赤外線を遮るため、赤外受信機は、赤外送信機から発された赤外線を受信することができない。よって、赤外線により上記浄水器の水受け領域に容器が置かれているかどうかを検出する。
【００４５】
上記浄水器の水受け領域に容器が置かれているかどうかを他の任意の実現可能な形態で判断してもよい。本発明は、それについて限定しない。
【００４６】
ステップ１０２では、上記水受け領域に容器が置かれているとき、当該容器に内容物が納められているかどうかを判断する。
【００４７】
本実施例では、当該容器に内容物が納められているかどうかを判断する。つまり、当該容器が空いているかどうかを判断する。容器が空いているとき、容器の種別に基づいて参照出水タイプを特定し、容器が空いていないとき、容器に納められた内容物の種別に基づいて参照出水タイプを特定する。
【００４８】
本実施例のある実現形態では、容器の俯瞰画像により、当該容器に内容物が納められているかどうかを判断してもよい。詳細に言えば、まず、容器内の画像が比較に完全に取得されるように、撮像機器を用いて当該容器の俯瞰画像を採集してもよい。次に、当該容器の俯瞰画像を分析し、当該容器の俯瞰画像に内容物の画像が含まれているかどうかを判断する。一般的に、容器の内部が平らで滑らかであり、容器の内部に図案があっても、その図案が固定であり、変化や移動しない。したがって、容器の俯瞰画像に内容物の画像が含まれているかどうかを判断してもよい。容器の俯瞰画像に内容物の画像が含まれていると判断すれば、当該容器に内容物が納められていると特定する。
【００４９】
本実施例の別の実現形態では、超音波技術により、当該容器に内容物が納められているかどうかを判断してもよい。詳細に言えば、容器の真上から超音波を発して、容器の底部が平らであるかどうかを検出してもよい。容器の底部が平らでない場合、当該容器に内容物が納められていると特定する。
【００５０】
他の実現可能な任意の方式で、当該容器に内容物が納められているかどうかを判断してもよい。本発明は、容器に内容物が納められているかどうかを判断する具体的な方式について限定しない。
【００５１】
ステップ１０３ａでは、上記容器に内容物が納められていないとき、当該容器の種別情報を特定する。
【００５２】
本実施例では、容器の種別は、容器を分類する種別であってもよい。例えば、容器の種別は、コップ、茶碗、ゴミ箱、野菜洗濯槽、洗面器、ゴミ箱等を含んでもよい。容器は、他の種別を含んでもよい。本発明は、容器の具体的な種別について限定しない。
【００５３】
本実施例では、容器の識別情報により、当該容器の種別情報を識別してもよい。容器の識別情報は、容器種別を識別可能な情報であってもよい。例えば、容器の識別情報は、容器の画像であってもよいし、容器の電子タグに付加された情報であってもよい。容器の識別情報は、容器種別を識別可能な他の任意の情報であってもよい。本発明は、容器の識別情報の具体的な形式について限定しない。ただし、電子タグは、近距離通信ＮＦＣチップを含む電子タグ、低消費電力ブルートゥースチップを含む電子タグ、低消費電力Ｗｉ-Ｆｉチップを含む電子タグ、低消費電力ジグビーＺｉｇＢｅｅチップを含む電子タグ、無線周波数ＲＦＩＤチップを含む電子タグ等のいずれかであってもよい。
【００５４】
ステップ１０４ａでは、上記容器の種別情報に基づいて、当該容器に整合する出水タイプの情報を参照出水タイプ情報として特定する。
【００５５】
一般的に、浄水器は、濾過されていない水道水を放出してもよいし、異なるフィルタコアによって濾過された水を放出してもよい。例えば、水道水に対して超濾過膜を介して濾過し、水道水中の土砂等を除去して浄水を取得してもよい。さらに、浄水に対して、活性炭、ＰＰ綿およびＲＯ（Ｒｅｖｅｒｓｅ Ｏｓｍｏｓｉｓ ｍｅｍｂｒａｎｅ、逆浸透）膜を介して濾過し、水垢、重金属、細菌等を除去して、純水を獲得する。浄水器のバルブに対する制御により、水道水、浄水および純水をそれぞれ放出してもよい。
【００５６】
本実施例では、出水タイプは、浄化されていない水を出すことと、第１の浄化水を出すことと、第２の浄化水を出すことと、のうちの１つまたは複数を含んでもよい。ただし、第１の浄化水は、第２の浄化水よりも不純物を多く含む。例えば、第１の浄化水が浄水であり、第２の浄化水が純水であってもよい。出水タイプには、他のタイプの水が含まれてもよい。例えば、第３の浄化水、第４の浄化水等を含む。ただし、第３の浄化水が第２の浄化水より清浄であり、第４の浄化水が第３の浄化水より清浄である。
【００５７】
本実施例では、異なる容器が異なる出水タイプに整合してもよい。例えば、種別がコップである容器が純水を出すことに整合してもよく、コップを使用して水を受け取る際、浄水器は、純水を出すことができる。種別が茶碗、弁当箱、野菜洗濯槽である容器が浄水を出すことに整合してもよく、茶碗、弁当箱、野菜洗濯槽を使用して水を受け取る際、浄水器は、浄水を出すことができる。種別が洗面器、ゴミ箱である容器が水道水を出すことに整合してもよく、茶碗、弁当箱、野菜洗濯槽を使用して水を受け取る際、浄水器が水道水を出すことができる。
【００５８】
本実施例では、異なる容器の種別情報と出水タイプ情報との整合関係を予め記憶してもよい。異なる容器の種別情報と出水タイプ情報との整合関係は、ユーザによって設定されてもよいし、システムでのデフォルトのものであってもよい。本発明は、それについて限定しない。
【００５９】
ステップ１０３ｂでは、上記容器に内容物が納められているとき、当該容器の内容物の種別情報を特定する。
【００６０】
本実施例では、水受け領域に置かれた容器の中で、幾つかの内容物が納められている可能性がある。例えば、リンゴ、ブドウまたは洗濯必要な衣類等である。内容物の種別は、内容物を分類する種別であってもよい。例えば、内容物の種別は、果物、野菜、衣類、穀物等を含んでもよい。内容物は、他の種別を含んでもよい。本発明は、内容物が含む具体的な種別について限定しない。
【００６１】
本実施例では、容器の内容物情報に基づいて、当該内容物の種別を識別してもよい。内容物情報は、内容物種別を識別可能な情報であってもよい。例えば、内容物情報は、容器の内容物の画像であってもよいし、容器の内容物の電子タグに付加された情報であってもよい。内容物情報は、容器の内容物種別を識別可能な他の情報であってもよい。本発明は、内容物情報の具体的な形式について限定しない。
【００６２】
ステップ１０４ｂでは、上記内容物の種別情報に基づいて、当該内容物に整合する出水タイプの情報を参照出水タイプ情報として特定する。
【００６３】
本実施例では、容器の異なる内容物が異なる出水タイプに整合してもよい。例えば、種別が果物である内容物が純水を出すことに整合してもよく、リンゴを納めた容器が水受け領域に置かれたとき、浄水器は、純水を出すことができる。種別が野菜である内容物が浄水を出すことに整合してもよく、野菜を納めた内容物が水受け領域に置かれたとき、浄水器は、浄水を出すことができる。種別が衣類である内容物が水道水を出すことに整合してもよく、衣類を納めた内容物が水受け領域に置かれたとき、浄水器は、水道水を出すことができる。
【００６４】
本実施例では、異なる内容物の種別情報と出水タイプ情報との整合関係を予め記憶してもよい。異なる内容物の種別情報と出水タイプ情報との整合関係は、ユーザによって設定されてもよいし、システムでのデフォルトのものであってもよい。本発明は、それについて限定しない。
【００６５】
ステップ１０５では、上記参照出水タイプ情報に基づいて対応する出水水路の情報を特定する。
【００６６】
本実施例では、出水水路は、浄化器から出される水が流れた水路である。出水水路は、初級水路、第一濾過レベル水路および第二濾過レベル水路のうちの１つまたは複数を含んでもよい。ただし、初級水路から出た水は、第一濾過レベル水路から出た水よりも、不純物を多く含み、第一濾過レベル水路から出た水は、第二濾過レベル水路から出た水よりも、不純物を多く含む。例えば、初級水路から出た水は、浄化されていない水道水であり、第一濾過レベル水路から出た水は、浄水であり、第二濾過レベル水路から出た水が純水であってもよいなど。他の出水水路を含んでもよい。例えば、第三濾過レベル水路、第四濾過レベル水路等を含む。ただし、第三濾過レベル水路から出た水が第二濾過レベル水路から出た水より清浄であり、第三濾過レベル水路から出た水が第四濾過レベル水路から出た水より清浄である。
【００６７】
本実施例では、出水水路は、フィルタコアを含まない水路であってもよいし、異なるフィルタコアあるいはフィルタコアの組み合わせに対応してもよい。図１Ｂに示すように、例えば、出水水路１１１が初級出水水路であり、初級出水水路を経由した水が濾過されておらず、水道水である。出水水路１１２が第一濾過レベル水路であり、第一濾過レベル水路が超濾過膜フィルタコアのフィルタコアに対応し、第一濾過レベル水路を経由した水が超濾過膜フィルタコアを介して濾過され、浄水になる。出水水路１１３が第二濾過レベル水路であり、第二濾過レベル水路が超濾過膜フィルタコア、活性炭フィルタコア、ＰＰ綿フィルタコアおよびＲＯ（Ｒｅｖｅｒｓｅ Ｏｓｍｏｓｉｓ ｍｅｍｂｒａｎｅ、逆浸透）膜フィルタコアのフィルタコア組み合わせに対応し、第二濾過レベル水路を経由した水が順に超濾過膜フィルタコア、活性炭フィルタコア、ＰＰ綿フィルタコアおよびＲＯ（Ｒｅｖｅｒｓｅ Ｏｓｍｏｓｉｓ ｍｅｍｂｒａｎｅ、逆浸透）膜フィルタコアを介して濾過され、純水になる。異なるフィルタコアに対応する出水水路もほかにあり得る。本発明は、出水水路のフィルタコアについて限定しない。
【００６８】
本実施例では、異なるバルブの開閉を制御して異なる出水水路から出水することを選択してもよい。図１Ｂに示すように、例えば、出水水路１１１から出水することを選択すれば、バルブ１３１を開き、バルブ１３２および１３３を閉じればよい。出水水路１１２から出水することを選択すれば、バルブ１３２を開き、バルブ１３１および１３３を閉じればよい。出水水路１１３から出水することを選択すれば、バルブ１３３を開き、バルブ１３１および１３２を閉じればよい。バルブを設ける他の方式があってもよい。本発明は、それについて限定しない。
【００６９】
本実施例では、異なる出水水路が異なるタイプの水を出すことができるため、異なる出水タイプは、異なる出水水路に対応してもよい。例えば、図１Ｂの例に合わせて、出水タイプとして、水道水を出すことが出水水路１１１に対応し、浄水を出すことが出水水路１１２に対応し、純水を出すことが出水水路１１３に対応してもよい。異なる出水タイプの情報と出水水路の情報との対応関係を予め記憶してもよい。
【００７０】
本実施例では、出水水路の情報は、当該出水水路を選択して出水するための情報であり、当該出水水路を選択して出水する制御情報であってもよい。例えば、出水水路の情報は、所定バルブの開閉を制御する情報であってもよい。例えば、図１Ｂの例に合わせて、出水水路１１１に対応する出水水路の情報は、バルブ１３１を開き、バルブ１３２および１３３を閉じるように制御する情報であってもよい。出水水路１１２に対応する出水水路の情報は、バルブ１３２を開き、バルブ１３１および１３３を閉じるように制御する情報であってもよい。出水水路１１３に対応する出水水路の情報は、バルブ１３３を開き、バルブ１３１および１３２の情報を閉じるように制御する情報であってもよい。出水水路の情報は、他の形式の情報であってもよい。本発明は、出水水路の情報の具体的な形式および内容について限定しない。
【００７１】
ステップ１０６では、上記出水水路の情報に基づいて、上記浄水器が上記出水水路に沿って水を出すように制御する。
【００７２】
本実施例では、上記出水水路の情報に基づいて、上記浄水器が上記出水水路に沿って水を出すように制御する。例えば、図１Ｂの例に合わせて、参照出水タイプが水道水を出すことである場合、対応する出水水路が出水水路１１１であり、浄水器が出水水路１１１に沿って水道水を出すように制御する（バルブ１３１を開き、バルブ１３２および１３３を閉じるように制御する方式）。参照出水タイプが浄水を出すことである場合、対応する出水水路が出水水路１１２であり、浄水器が出水水路１１２に沿って浄水を出すように制御する（バルブ１３２を開き、バルブ１３１および１３３を閉じるように制御する方式）。参照出水タイプが純水を出すことである場合、対応する出水水路が出水水路１１３であり、浄水器が出水水路１１３に沿って純水を出すように制御する（バルブ１３３を開き、バルブ１３１および１３２を閉じるように制御する方式）。
【００７３】
本発明の上記実施例に供される浄水器出水制御方法では、浄水器の水受け領域に容器が置かれているとき、当該容器に内容物が納められているかどうかを判断し、容器に内容物が納められていないとき、容器の種別情報に基づいて参照出水タイプ情報を特定し、容器に内容物が納められているとき、容器に納められた内容物の種別情報に基づいて参照出水タイプ情報を特定し、参照出水タイプ情報に基づいて対応する出水水路の情報を特定することで、上記浄水器が当該出水水路に沿って水を出すように制御する。これにより、ユーザによる出水タイプの選択を必要としないため、浄水器の使用効率が向上する。
【００７４】
図２に示すように、図２は、一実施例による別の浄水器出水制御方法を示すフローチャートである。当該実施例は、容器の種別情報を特定すること、および内容物の種別情報を特定する手順を詳細に記述した、当該方法は、浄水器に適用可能であり、以下のステップを含む。
【００７５】
ステップ２０１では、浄水器の水受け領域に容器が置かれているかどうかを判断する。
【００７６】
ステップ２０２では、上記水受け領域に容器が置かれているとき、当該容器に内容物が納められているかどうかを判断する。
【００７７】
ステップ２０３ａでは、上記容器に内容物が納められていないとき、当該容器の識別情報を取得する。
【００７８】
ステップ２０４ａでは、当該容器の識別情報に基づいて、当該容器の種別情報を特定する。
【００７９】
本実施例のある実現形態では、上記水受け領域に容器が置かれているとき、撮像機器により容器の画像を採集してもよい。当該撮像機器は、浄水器水受け領域に置かれた容器の画像を採集できる如何なる位置にも設けられてもよい。本発明は、撮像機器を配置する具体的な位置について限定しない。そして、予め記憶された画像から、当該容器の画像に整合する画像を容器参照画像として検索する。当該容器参照画像に関連する種別情報を上記容器の種別情報として特定する。
【００８０】
詳細に言えば、各種の容器の画像を予め記憶し、これらの容器の画像と関連する種別情報との関連関係を記憶してもよい。当該容器の画像が取得された後で、記憶された各種の容器の画像から、当該容器の画像に最も近い画像を容器参照画像として検索してもよい。そして、上記関連関係に基づいて、当該容器参照画像に関連する種別情報を上記容器の種別情報として検索する。
【００８１】
本実施例の別の実現形態では、上記水受け領域に容器が置かれているとき、電子タグを読み取り可能な読取機器を介して容器の電子タグに付加された情報を取得してもよい。ただし、容器の電子タグに付加された情報は、容器の名称情報、種別情報、生産日情報およびメーカ情報等を含んでもよいが、それらに限定されない。当該容器の電子タグに付加された情報から、当該容器の種別情報を検索してもよい。
【００８２】
本実施例のさらに別の実現形態では、上記水受け領域に容器が置かれているとき、容器の電子タグに付加された情報（容器の画像）に基づいて容器の種別情報を先に特定し、容器の種別情報が判断されていないとき、容器の画像（容器の電子タグに付加された情報）に基づいて容器の種別情報をさらに特定してもよい。容器の種別情報が判断されていない場合、他の実現可能な方式で容器の種別情報の特定を継続してもよい。
【００８３】
ステップ２０５ａでは、上記容器の種別情報に基づいて、当該容器に整合する出水タイプの情報を参照出水タイプ情報として特定する。
【００８４】
ステップ２０３ｂでは、上記容器に内容物が納められているとき、当該容器の内容物情報を取得する。
【００８５】
ステップ２０４ｂでは、当該内容物情報に基づいて、当該内容物の種別情報を特定する。
【００８６】
本実施例では、容器の内容物情報は、内容物種別を識別可能な情報である。例えば、容器の内容物情報は、内容物の画像であってもよいし、内容物の電子タグに付加されて情報であってもよい。内容物情報は、内容物種別を識別できるほかの情報であってもよい。本発明は、納められた内容物情報の具体的な形式について限定しない。
【００８７】
本実施例のある実現形態では、上記水受け領域に容器が置かれているとき、撮像機器を介して容器に納められた内容物の画像を採集してもよい。そして、予め記憶された画像から、当該内容物の画像に整合する画像を内容物参照画像として検索する。当該内容物参照画像に関連する種別情報を上記内容物の種別情報として特定する。
【００８８】
本実施例の別の実現形態では、上記水受け領域に容器が置かれているとき、電子タグを読み取り可能な読取機器を介して容器の内容物の電子タグに付加された情報を取得してもよい。当該内容物の電子タグに付加された情報から、当該内容物の種別情報を検索してもよい。
【００８９】
本実施例のさらに別の実現形態では、上記水受け領域に容器が置かれているとき、容器の内容物の電子タグに付加された情報（容器の内容物の画像）に基づいて内容物の種別情報を先に特定し、内容物の種別情報が判断されていないとき、内容物の画像（内容物の電子タグに付加された情報）に基づいて内容物の種別情報をさらに特定してもよい。内容物の種別情報が判断されていない場合、他の実現可能な方式で内容物の種別情報の特定を継続してもよい。
【００９０】
ステップ２０５ｂでは、上記内容物の種別情報に基づいて、当該内容物に整合する出水タイプの情報を参照出水タイプ情報として特定する。
【００９１】
ステップ２０６では、上記参照出水タイプ情報に基づいて対応する出水水路の情報を特定する。
【００９２】
ステップ２０７では、上記出水水路の情報に基づいて、上記浄水器が上記出水水路に沿って水を出すように制御する。
【００９３】
説明すべきことは、図１Ａの実施例と同じステップについて、上記図２の実施例で繰り返し説明しない。関連内容は、図１Ａの実施例を参照すればよい。
【００９４】
本発明の上記実施例に供される浄水器出水制御方法では、容器の識別情報あるいは容器の内容物情報に基づいて、当該容器あるいは容器の内容物の種別情報を特定し、当該種別情報に基づいて、参照出水タイプ情報を判断し、参照出水タイプ情報に基づいて対応する出水水路の情報を特定することで、上記浄水器が当該出水水路に沿って水を出すように制御する。これにより、ユーザによる出水タイプの選択を必要としないため、さらに浄水器の使用効率が向上する。
【００９５】
図３に示すように、図３は、一実施例による別の浄水器出水制御方法を示すフローチャートである。当該実施例は、容器の種別情報に基づいて当該容器に整合する出水タイプ情報を特定すること、および、内容物の種別情報に基づいて当該内容物に整合する出水タイプ情報を特定する手順を詳細に記述した。当該方法は、浄水器に適用可能であり、以下のステップを含む。
【００９６】
ステップ３０１では、浄水器の水受け領域に容器が置かれているかどうかを判断する。
【００９７】
ステップ３０２では、上記水受け領域に容器が置かれているとき、当該容器に内容物が納められているかどうかを判断する。
【００９８】
ステップ３０３ａでは、上記容器に内容物が納められていないとき、当該容器の識別情報を取得する。
【００９９】
ステップ３０４ａでは、当該容器の識別情報に基づいて、当該容器の種別情報を特定する。
【０１００】
ステップ３０５ａでは、種別情報と出水タイプ情報との所定の整合関係を取得する。
【０１０１】
ステップ３０６ａでは、上記整合関係に基づいて、上記容器の種別情報に整合する出水タイプの情報を参照出水タイプ情報として検索する。
【０１０２】
本実施例では、種別情報と出水タイプ情報との整合関係を予め設定してから、当該整合関係を記憶してもよい。例えば、コップが純水を出すことに整合し、茶碗、弁当箱、野菜洗濯槽が浄水を出すことに整合し、洗面器、ゴミ箱が水道水を出すことに整合してもよい。種別と出水タイプとの整合関係は、予めユーザによって設定されてもよいし、システムでのデフォルトのものであってもよい。本発明は、それについて限定しない。
【０１０３】
説明すべきことは、予め設定された種別情報と出水タイプ情報との整合関係がローカル浄水器に記憶されてもよいし、所定のサーバに記憶されてもよい。したがって、種別情報と出水タイプ情報との所定の整合関係を取得する際、ローカルに取得してもよいし、ネットワークを介して所定のサーバから取得してもよい。
【０１０４】
ステップ３０３ｂでは、上記容器に内容物が納められているとき、当該容器の内容物情報を取得する。
【０１０５】
ステップ３０４ｂでは、当該内容物情報に基づいて、当該内容物の種別情報を特定する。
【０１０６】
ステップ３０５ｂでは、種別情報と出水タイプ情報との所定の整合関係を取得する。
【０１０７】
ステップ３０６ｂでは、上記整合関係に基づいて、上記内容物の種別情報に整合する出水タイプの情報を参照出水タイプ情報として検索する。
【０１０８】
本実施例では、種別情報と出水タイプ情報との整合関係を予め設定してから、当該整合関係を記憶してもよい。例えば、果物が純水を出すことに整合し、野菜が浄水を出すことに整合し、衣類が水道水を出すことに整合してもよい。種別情報と出水タイプ情報との整合関係は、予めユーザによって設定されてもよいし、システムでのデフォルトのものであってもよい。本発明は、それについて限定しない。
【０１０９】
ステップ３０７では、上記参照出水タイプ情報に基づいて対応する出水水路の情報を特定する。
【０１１０】
ステップ３０８では、上記出水水路の情報に基づいて上記浄水器が上記出水水路に沿って水を出すように制御する。
【０１１１】
説明すべきことは、図１Ａの実施例と同じステップについて、上記図３の実施例で繰り返し説明しない。関連内容は、図１Ａの実施例を参照すればよい。
【０１１２】
本発明の上記実施例に供される浄水器出水制御方法では、種別情報と出水タイプ情報との所定の整合関係により、上記容器あるいは内容物に整合する出水タイプ情報を参照出水タイプ情報として検索し、参照出水タイプ情報に基づいて対応する出水水路の情報を特定することで、上記浄水器が当該出水水路に沿って水を出すように制御する。これにより、ユーザによる出水タイプの選択を必要としないため、さらに浄水器の使用効率が向上する。
【０１１３】
図４に示すように、図４は、一実施例による別の浄水器出水制御方法を示すフローチャートである。当該実施例は、参照出水タイプ情報に基づいて対応する出水水路の情報を特定する手順を詳細に記述した。当該方法は、浄水器に適用可能であり、以下のステップを含む。
【０１１４】
ステップ４０１では、浄水器の水受け領域に容器が置かれているかどうかを判断する。
【０１１５】
ステップ４０２では、上記水受け領域に容器が置かれているとき、当該容器に内容物が納められているかどうかを判断する。
【０１１６】
ステップ４０３ａでは、上記容器に内容物が納められていないとき、当該容器の識別情報を取得する。
【０１１７】
ステップ４０４ａでは、当該容器の識別情報に基づいて、当該容器の種別情報を特定する。
【０１１８】
ステップ４０５ａでは、上記容器の種別情報に基づいて、当該容器に整合する出水タイプの情報を参照出水タイプ情報として特定する。
【０１１９】
ステップ４０３ｂでは、上記容器に内容物が納められているとき、当該容器の内容物情報を取得する。
【０１２０】
ステップ４０４ｂでは、当該内容物情報に基づいて、当該内容物の種別情報を特定する。
【０１２１】
ステップ４０５ｂでは、上記内容物の種別情報に基づいて、当該内容物に整合する出水タイプの情報を参照出水タイプ情報として特定する。
【０１２２】
ステップ４０６では、出水タイプ情報と出水水路の情報との所定の対応関係を取得する。
【０１２３】
ステップ４０７では、上記対応関係に基づいて上記参照出水タイプ情報に対応する出水水路の情報を検索する。
【０１２４】
本実施例では、出水タイプ情報と出水水路の情報との対応関係を予め記憶してもよい。例えば、水道水を出すことが出水水路１１１に対応し、浄水を出すことが出水水路１１２に対応し、純水を出すことが出水水路１１３に対応するなど。
【０１２５】
説明すべきことは、出水タイプ情報と出水水路の情報との対応関係がローカル浄水器に記憶されてもよいし、所定のサーバに記憶されてもよい。したがって、出水タイプ情報と出水水路の情報との対応関係を取得する際、ローカルに取得してもよいし、ネットワークを介して所定のサーバから取得してもよい。
【０１２６】
ステップ４０８では、上記出水水路の情報に基づいて、上記浄水器が上記出水水路に沿って水を出すように制御する。
【０１２７】
説明すべきことは、図１Ａの実施例と同じステップが、上記図２の実施例で繰り返し説明しない。関連内容は、図１Ａの実施例を参照すればよい。
【０１２８】
本発明の上記実施例に供される浄水器出水制御方法では、出水タイプ情報と出水水路の情報との所定の対応関係により、上記参照出水タイプ情報に対応する出水水路の情報を検索し、上記浄水器が当該出水水路に沿って水を出すように制御する。これにより、ユーザによる出水タイプの選択を必要としないため、浄水器の使用効率がさらに向上する。
【０１２９】
図面において特定の順番で本発明の方法の操作を記述したが、必ず当該特定の順番に応じてこれらの操作を実行する、あるいは、期望の結果を得るように、全部の操作を必ず実行することは、要求や暗示されていない。逆に、フローチャートに記述されたステップは、実行の順番を変更してもよい。付加的にあるいは候補的に、一部のステップを省略してもよいし、複数のステップを１つのステップに合併して実行し、および/または、１つのステップを複数のステップに分解して実行してもよい。
【０１３０】
上記浄水器出水制御方法の実施例に対応して、本発明は、さらに、浄水器出水制御装置およびそれを応用する浄水器の実施例を提供する。
【０１３１】
図５に示すように、図５は、本発明の一実施例による浄水器出水制御装置を示すブロック図である。当該装置は、第１の判断手段５０１、第２の判断手段５０２、第１の取得手段５０３、第１の識別手段５０４、第１の特定手段５０５、第２の取得手段５０６、第２の識別手段５０７、第２の特定手段５０８、第３の特定手段５０９および制御手段５１０を備える。
【０１３２】
ただし、第１の判断手段５０１は、浄水器の水受け領域に容器が置かれているかどうかを判断するように構成される。
【０１３３】
第２の判断手段５０２は、上記水受け領域に容器が置かれているとき、当該容器に内容物が納められているかどうかを判断するように構成される。
【０１３４】
第１の取得手段５０３は、上記容器に内容物が納められていないとき、当該容器の識別情報を取得するように構成される。
【０１３５】
第１の識別手段５０４は、上記識別情報に基づいて当該容器の種別情報を特定するように構成される。
【０１３６】
第１の特定手段５０５は、当該容器の種別情報に基づいて、上記容器に整合する出水タイプの情報を参照出水タイプ情報として特定するように構成される。
【０１３７】
第２の取得手段５０６は、上記容器に内容物が置かれているとき、当該容器の内容物情報を取得するように構成される。
【０１３８】
第２の識別手段５０７は、上記内容物情報に基づいて当該内容物の種別情報を特定するように構成される。
【０１３９】
第２の特定手段５０８は、上記内容物の種別情報に基づいて、上記内容物に整合する出水タイプの情報を参照出水タイプ情報として特定するように構成される。
【０１４０】
第３の特定手段５０９は、上記参照出水タイプ情報に基づいて、対応する出水水路の情報を特定するように構成される。
【０１４１】
制御手段５１０は、前記出水水路の情報に基づいて、上記浄水器が当該出水水路に応じて水を出すように制御するように構成される。
【０１４２】
図６に示すように、図６は、本発明の一実施例による別の浄水器出水制御装置を示すブロック図である。当該実施例は、上記図５に示す実施例に加えて、第２の判断手段５０２が採集サブ手段６０１と、判断サブ手段６０２と、特定サブ手段６０３とを備えてもよい。
【０１４３】
ただし、採集サブ手段６０１は、上記容器の俯瞰画像を採集するように構成される。
【０１４４】
判断サブ手段６０２は、上記容器の俯瞰画像に内容物の画像が含まれているかどうかを判断するように構成される。
【０１４５】
特定サブ手段６０３は、上記容器の俯瞰画像に内容物の画像が含まれているとき、当該容器に内容物が納められていると特定するように構成される。
【０１４６】
図７に示すように、図７は、本発明の一実施例による別の浄水器出水制御装置を示すブロック図である。当該実施例は、上記図５に示す実施例に加えて、第１の識別手段５０４が容器画像検索サブ手段７０１と、容器種別特定サブ手段７０２とを備えてもよい。
【０１４７】
ただし、容器画像検索サブ手段７０１は、予め記憶された画像から上記容器の画像に整合する画像を容器参照画像として検索するように構成される。
【０１４８】
容器種別特定サブ手段７０２は、上記容器参照画像に関連する種別情報を当該容器の種別情報として特定するように構成される。
【０１４９】
ただし、容器の識別情報は、上記容器の画像を含む。
【０１５０】
図８に示すように、図８は、本発明の一実施例による別の浄水器出水制御装置を示すブロック図である。当該実施例は、上記図５に示す実施例に加えて、第１の識別手段５０４が容器種別情報検索サブ手段８０１を備えてもよい。容器種別情報検索サブ手段８０１は、上記容器の電子タグに付加された情報から当該容器の種別情報を検索するように構成される。
【０１５１】
ただし、上記容器の識別情報は、容器の電子タグに付加された情報を含む。
【０１５２】
図９に示すように、図９は、本発明の一実施例による別の浄水器出水制御装置を示すブロック図である。当該実施例は、上記図５に示す実施例に加えて、第２の識別手段５０７が内容物画像検索サブ手段９０１と、内容物種別特定サブ手段９０２とを備えてもよい。
【０１５３】
ただし、内容物画像検索サブ手段９０１は、予め記憶された画像から、上記内容物の画像に整合する画像を内容物参照画像として検索するように構成される。
【０１５４】
内容物種別特定サブ手段９０２は、上記内容物参照画像に関連する種別情報を当該内容物の種別情報として特定するように構成される。
【０１５５】
ただし、容器の内容物情報は、当該内容物の画像を含む。
【０１５６】
図１０に示すように、図１０は、本発明の一実施例による別の浄水器出水制御装置を示すブロック図である。当該実施例は、上記図５に示す実施例に加えて、第２の識別手段５０７が内容物種別情報検索サブ手段１００１を備えてもよい。内容物種別情報検索サブ手段１００１は、上記内容物の電子タグに付加された情報から当該内容物の種別情報を検索するように構成される。
【０１５７】
ただし、容器の内容物情報は、上記内容物の電子タグに付加された情報を含む。
【０１５８】
図１１に示すように、図１１は、本発明の一実施例による別の浄水器出水制御装置を示すブロック図である。当該実施例は、上記図５に示す実施例に加えて、第１の特定手段５０５が第１の整合関係取得サブ手段１１０１と第１の出水タイプ検索サブ手段１１０２とを備えてもよい。
【０１５９】
ただし、第１の整合関係取得サブ手段１１０１は、種別情報と出水タイプ情報との所定の整合関係を取得するように構成される。
【０１６０】
第１の出水タイプ検索サブ手段１１０２は、上記整合関係に基づいて、上記容器の種別情報に整合する出水タイプの情報を当該容器に整合する出水タイプの情報として検索するように構成される。
【０１６１】
図１２に示すように、図１２は、本発明の一実施例による別の浄水器出水制御装置を示すブロック図である。当該実施例は、上記図５に示す実施例に加えて、第２の特定手段５０８が第２の整合関係取得サブ手段１２０１と、第２の出水タイプ検索サブ手段１２０２とを備えてもよい。
【０１６２】
ただし、第２の整合関係取得サブ手段１２０１は、種別情報と出水タイプ情報との所定の整合関係を取得するように構成される。
【０１６３】
第２の出水タイプ検索サブ手段１２０２は、上記整合関係に基づいて、上記内容物の種別情報に整合する出水タイプの情報を、当該内容物に整合する出水タイプの情報として検索するように構成される。
【０１６４】
図１３に示すように、図１３は、本発明の一実施例による別の浄水器出水制御装置を示すブロック図である。当該実施例は、上記図５に示す実施例に加えて、第３の特定手段５０９が対応関係取得サブ手段１３０１と、出水水路情報検索サブ手段１３０２とを備えてもよい。
【０１６５】
ただし、対応関係取得サブ手段１３０１は、出水タイプ情報と出水水路の情報との所定の対応関係を取得するように構成される。
【０１６６】
出水水路情報検索サブ手段１３０２は、上記対応関係に基づいて上記参照出水タイプ情報に対応する出水水路の情報を検索するように構成される。
【０１６７】
更なる好適な実施形態では、出水水路は、初級水路、第一濾過レベル水路および第二濾過レベル水路のうちの１つまたは複数を含む。ただし、初級水路から出た水は、第一濾過レベル水路から出た水よりも、不純物を多く含み、第一濾過レベル水路から出た水は、第二濾過レベル水路から出た水よりも、不純物を多く含む。
【０１６８】
更なる好適な実施形態では、電子タグは、近距離通信ＮＦＣチップを含む電子タグと、低消費電力ブルートゥースチップを含む電子タグと、低消費電力Ｗｉ-Ｆｉチップを含む電子タグと、低消費電力ジグビーＺｉｇＢｅｅチップを含む電子タグと、無線周波数ＲＦＩＤチップを含む電子タグとのうちの１つまたは複数を含む。
【０１６９】
更なる好適な実施形態では、出水タイプは、浄化されていない水を出すことと、第１の浄化水を出すことと、第２の浄化水を出すこととのうちの１つまたは複数を含む。ただし、第１の浄化水は、第２の浄化水よりも、不純物を多く含む。
【０１７０】
上記装置は、予め浄水器に設けられてもよいし、ダウンロード等の方式により浄水器にロードされてもよい。上記装置における該当手段が浄水器における手段と協調して浄水器出水制御案を実施してもよい。
【０１７１】
装置実施例が基本的に方法実施例に対応するため、関連箇所は、方法実施例部分の説明を参照すればよい。以上に記載の装置実施例は、単なる模式的である。その中の分離部品として説明された手段は、物理的に離間してもよいし、しなくてもよい。手段として表示された部品は、物理手段であってもよいし、でなくてもよい。即ち、１箇所に位置してもよいし、複数のネットワークセルに分散してもよい。実際の必要に応じて、その中の一部または全部のモジュールを選択して本発明の目的を達成してもよい。当業者は、進歩性に値する労働をせずに、理解し実施可能である。
【０１７２】
図１４は、本発明の実施例を応用可能なシステムアーキテクチャの模式図である。
【０１７３】
図１４に示すように、システムアーキテクチャ１４００は、浄水機器１４０１、１４０２、ネットワーク１４０３およびサーバ１４０４を含んでもよい。ネットワーク１４０３は、浄水機器１４０１、１４０２とサーバ１４０４との間で通信リンクの媒体を提供する。ネットワーク１４０３は、各種の接続方式、例えば、有線、無線通信リンクまたはファイバケーブル等があり得る。
【０１７４】
ユーザ１４１０は、浄水機器１４０１、１４０２を使用可能であり、浄水機器１４０１、１４０２は、ネットワーク１４０３を介してサーバ１４０４とやり取り、情報を受信やアップロード等を実行することができる。
【０１７５】
サーバ１４０４は、各種のサービスを供給するサーバであってもよい。サーバは、受信されたデータに対して記憶、分析等の処理を行って、処理結果を浄水機器へフィードバックしてもよい。サーバは、ユーザのサービス要求に応じてサービスを供給してもよい。例えば、サーバは、種別と出水タイプとの所定の整合関係を浄水機器へ供給し、または、出水タイプ情報と出水水路の情報との対応関係等を浄水器へ供給してもよい。１つのサーバが１つまたは複数のサービスを提供でき、同一のサービスも複数のサーバによって供給されることは、理解されるべきである。
【０１７６】
図１４における浄水機器、ネットワークとサーバの数が単なる模式的であることは、理解されるべきである。実際の必要に応じて、任意の数の浄水機器、ネットワークとサーバを有することができる。
【０１７７】
それ相応に、本発明は、さらに浄水器を提供する。当該浄水器は、プロセッサと、プロセッサの実行可能な指令を記憶するためのメモリと、を備え、当該プロセッサは、
前記浄水器の水受け領域に容器が置かれているかどうかを判断し、
前記水受け領域に容器が置かれているとき、前記容器に内容物が納められているかどうかを判断し、
前記容器に内容物が納められていないとき、前記容器の識別情報を取得し、前記識別情報に基づいて前記容器の種別情報を特定し、前記容器の種別情報に基づいて、前記容器に整合する出水タイプの情報を参照出水タイプ情報として特定し、
前記容器に内容物が納められているとき、前記容器の内容物情報を取得し、前記内容物情報に基づいて前記内容物の種別情報を特定し、前記内容物の種別情報に基づいて、前記内容物に整合する出水タイプの情報を参照出水タイプ情報として特定し、
前記参照出水タイプ情報に基づいて対応する出水水路の情報を特定し、
前記出水水路の情報に基づいて前記浄水器が前記出水水路に沿って水を出すように制御するように構成される。
【０１７８】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１７９】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
本願は、出願番号がＣＮ２０１５１０７１４１２８.９であり、出願日が２０１５年１０月２８日である中国特許出願に基づいて優先権を主張する。当該中国特許出願の全ての内容は、ここに参考として引用される。
【図１Ａ】
0006298887.tif 000002
【図１Ｂ】
0006298887.tif 000003
【図２】
0006298887.tif 000004
【図３】
0006298887.tif 000005
【図４】
0006298887.tif 000006
【図５】
0006298887.tif 000007
【図６】
0006298887.tif 000008
【図７】
0006298887.tif 000009
【図８】
0006298887.tif 000010
【図９】
0006298887.tif 000011
【図１０】
0006298887.tif 000012
【図１１】
0006298887.tif 000013
【図１２】
0006298887.tif 000014
【図１３】
0006298887.tif 000015
【図１４】
0006298887.tif 000016